(57)【特許請求の範囲】
【請求項１】
印刷物中の領域を読み取り、読取領域の上書き前の画像データである上書き前画像データを生成する画像読取部と、読み取りが行われた後の前記読取領域に対し、隠匿用の画像を出力して上書きを行って隠匿領域とする画像出力部と、前記上書き前画像データを出力するインターフェイス部を含む読取上書ユニットと、
前記読取上書ユニットから前記上書き前画像データを受信する通信部と、前記通信部が受信した前記上書き前画像データを記憶する記憶部と、前記上書き前画像データに基づき画像を形成する画像形成部を含む画像形成装置と、を含み、
前記画像出力部は、前記上書き前画像データを特定し、呼び出すための追跡コードを含めて前記読取領域の上書きを行って隠匿領域を生成し、
前記画像形成装置は、原稿を読み取るスキャナ部と、前記スキャナ部で前記隠匿領域を含む原稿を読み取って得られた画像データを解析し、追跡コードを認識する追跡コード認識部を備え、
前記画像形成部は、認識された追跡コードに対応する前記上書き前画像データに基づく画像を形成することを特徴とする画像入出力システム。
【請求項２】
前記画像形成装置は、前記スキャナ部で前記隠匿領域を含む原稿を読み取って得られた画像データのうち、前記隠匿領域を、前記追跡コードに対応する前記上書き後画像データに置き換えて、上書きを行う前の状態の原稿を再現する画像データである再現画像データを生成する処理を行う画像処理部を有し、
前記画像形成部は、前記再現画像データに基づく画像を形成することを特徴とする請求項１記載の画像入出力システム。
【請求項３】
前記画像出力部は、前記画像読取部の読み取りに基づき得られた前記上書き前画像データに応じ、上書きのときに出力する画像を変化させることを特徴とする請求項１又は２に記載の画像入出力システム。
【請求項４】
前記画像出力部は、前記上書き前画像データの画像データがカラーであるとき、黒色以外の色も用いた上書き画像を印字し、前記上書き前画像データがモノクロであるとき、黒色の上書き画像を印字することを特徴とする請求項３記載の画像入出力システム。
【請求項５】
前記画像出力部は、前記上書き前画像データが文字を含むとき、文字、又は、文字を模した模様の上書き画像を印字することを特徴とする請求項３又は４に記載の画像入出力システム。
【請求項６】
前記画像読取部と前記画像出力部は、同じ平面内に設けられ、
前記平面と原稿の間隔を一定に保ち、回転する複数のコロが設けられ、
前記コロは、ワンウェイクラッチを備えることを特徴とする請求項１乃至５の何れか１項に記載の画像入出力システム。
【請求項７】
前記読取上書ユニットと、前記画像形成装置と相互に通信可能に接続され、前記上書き前画像データを蓄積するための記憶装置を含むことを特徴とする請求項１乃至６のいずれか１項に記載の画像入出力システム。
【請求項８】
印刷物中の領域を読み取り、読取領域の上書き前の画像データである上書き前画像データを生成する画像読取部と、読み取りが行われた後の前記読取領域に対し、隠匿用の画像を出力して上書きを行って隠匿領域とする画像出力部と、前記上書き前画像データを出力するインターフェイス部とを含み、
前記画像出力部は、前記上書き前画像データを特定し、呼び出すための追跡コードを含めて前記読取領域の上書きを行い、
前記画像読取部が前記追跡コードを読み取ったとき、
前記画像出力部は、前記追跡コードに対応する前記上書き前画像データに基づき印刷を行うことを特徴とする読取上書ユニット。
【発明の詳細な説明】
【技術分野】
【０００１】
本発明は、画像の読み取りや印刷（画像出力）を行う画像入出力システム、及び、画像入出力システムで用いられる読取上書ユニットに関する。
【背景技術】
【０００２】
印刷物には、機密情報や個人情報など、他人に知られたくない情報が含まれる場合がある。情報漏洩を防ぐため、画像データ中、秘密にすべき情報を含む部分を、他種のデータに置き換えた上で印刷し、情報を隠匿することがある。又、印刷物中で秘密にすべき情報を含む部分に上書きを施して、情報の隠匿を図る場合もある。
【０００３】
特許文献１には、データの一部をバーコードデータに置き換える処理方法や、データ処理装置などが記載されている。例えば、特許文献１には、（ａ）ソース文書から少なくとも一つの領域を選択するステップ、（ｂ）ソース文書の中の少なくとも一つの領域を表すデータを処理して、少なくとも一組のバーコードデータを生成するステップ、（ｃ）ソース文書の中の少なくとも一つの領域を表すデータを少なくとも一組のバーコードデータに置き換えて、処理された文書を生成するステップと、を備える文書処理方法が記載されている。この構成により、選択された一つ以上の領域は少なくとも一つのバーコードに置き換えられ、領域の中の情報は人間の観察者には視覚的に認識することはできない（隠匿できる）。又、文書の所定の受け手または読み手はデコーダーを使ってバーコードをデコードし、選択された一つ以上の領域を元の形式で文書を表示しようとする（特許文献１：請求項１、段落［００１０］等参照）。
【先行技術文献】
【特許文献】
【０００４】
【特許文献１】特開２００７−２５１９２９号公報
【発明の概要】
【発明が解決しようとする課題】
【０００５】
近年、プライバシー保護や情報セキュリティ強化の観点から、印刷物のうち、個人情報や機密情報が記された隠匿すべき領域（部分）に対して、上書きを行うことがある。例えば、はがきの宛名が簡単に見えないようにするためのスタンプが市販されている。
【０００６】
しかし、スタンプを用いるなどして、上書きを行うと、隠匿領域（スタンプを押した部分）には、何が書かれていたか分からなくなる。言い換えると、隠匿領域の内容は再現不能になるという問題がある。尚、上書き前の画像の色などにより、スタンプを押しても、情報を隠匿しきれないという問題も生じ得る。
【０００７】
ここで、特許文献１記載の発明は、隠匿部分をバーコードに置き換える（上書きはしない）。そのため、当初から隠匿部分の内容を確認できないという問題がある。又、特許文献１には、バーコードから解読される情報に基づき、隠匿領域に含まれる情報を印刷し再現できる旨が記載されている。しかし、バーコードに格納できるデータ量は限度がある。従って、バーコードを解読しても、隠匿領域の全内容を再現できないという問題もある。例えば、隠匿領域が高解像度画像や、カラー画像の場合、バーコードでは、隠匿領域に含まれる情報のうち、一部の情報しか再現できない。
【０００８】
本発明は、上記の問題点に鑑み、上書きにより情報を確実に隠匿するとともに、読み取っておき、蓄積しておいた上書き前の画像データに基づき、隠匿した部分を確実、的確に再現することを課題とする。
【課題を解決するための手段】
【０００９】
上記課題解決のため請求項１に係る画像入出力システムは、印刷物中の領域を読み取り、読取領域の上書き前の画像データである上書き前画像データを生成する画像読取部と、読み取りが行われた後の前記読取領域に対し、隠匿用の画像を出力して上書きを行って隠匿領域とする画像出力部と、前記上書き前画像データを出力するインターフェイス部を含む読取上書ユニットと、前記読取上書ユニットから前記上書き前画像データを受信する通信部と、前記通信部が受信した前記上書き前画像データを記憶する記憶部と、前記上書き前画像データに基づき画像を形成する画像形成部を含む画像形成装置と、を含む。
【００１０】
この構成によれば、画像出力部は、読取領域に対し、隠匿用の画像を出力して上書きを行う。これにより、秘匿したい部分を読取上書ユニットでなぞれば、上書きにより情報の隠匿がなされる。又、画像読取部は、上書き前の読取領域の画像データを生成する。そして、生成された画像データは、インターフェイス部から出力され画像形成装置が蓄える。これにより、上書き前画像データに基づき、画像形成部が画像を形成して、隠匿部分を的確に再現（再利用）することができる。
【００１１】
又、前記画像出力部は、前記上書き前画像データを特定し、呼び出すための追跡コードを含めて前記読取領域の上書きを行って隠匿領域を生成し、前記画像形成装置は、原稿を読み取るスキャナ部と、前記スキャナ部で前記隠匿領域を含む原稿を読み取って得られた画像データを解析し、追跡コードを認識する追跡コード認識部を備え、前記画像形成部は、認識された追跡コードに対応する前記上書き前画像データに基づく画像を形成することとした。
【００１２】
この構成によれば、追跡コード認識部は、隠匿領域に印刷された（埋め込まれた）追跡コードを認識する。これにより、複数種の上書き前画像データが存在していても、追跡コードを用いて、特定の上書き前画像データを容易に呼び出し、印刷により再現することができる。
【００１３】
又、請求項２に係る発明は、請求項１の発明において、前記画像形成装置は、前記スキャナ部で前記隠匿領域を含む原稿を読み取って得られた画像データのうち、前記隠匿領域を、前記追跡コードに対応する前記上書き後画像データに置き換えて、上書きを行う前の状態の原稿を再現する画像データである再現画像データを生成する処理を行う画像処理部を有し、前記画像形成部は、前記再現画像データに基づく画像を形成することとした。
【００１４】
この構成によれば、画像形成部は、再現画像データに基づく画像を形成する。これにより、上書きする前の状態の原稿と同様の印刷物が得られる。従って、ほぼ完全な形で、原稿を再現することができる。
【００１５】
又、請求項３に係る発明は、請求項１又は２の発明において、前記画像出力部は、前記画像読取部の読み取りに基づき得られた前記上書き前画像データに応じ、上書きのときに出力する画像を変化させることとした。
【００１６】
この構成によれば、画像出力部は、画像読取部の読み取りに基づき得られた上書き前画像データに応じ、上書きのときに出力する画像を変化させる。これにより、画像に合わせて、隠匿効果が高い画像を上書きすることができる。
【００１７】
又、請求項４に係る発明は、請求項３の発明において、前記画像出力部は、前記上書き前画像データの画像データがカラーであるとき、黒色以外の色も用いた上書き画像を印字し、前記上書き前画像データがモノクロであるとき、黒色の上書き画像を印字することとした。
【００１８】
この構成によれば、画像出力部は、上書き前画像データがモノクロであるとき、黒色の上書き画像を印字し、上書き前画像データの画像データがカラーであるとき、黒色以外の色も用いた上書き画像を印字する。これにより、隠匿領域の色に合わせて、上書きを行うことができる。例えば、隠匿領域がモノクロ（白黒灰）であるとき、黒色を用いて、効果的に隠匿がなされる。又、上書き前画像データの画像データがカラーであるとき、黒色以外の色も用いて、効果的に隠匿がなされる。
【００１９】
又、請求項５に係る発明は、請求項３又は４の発明において、前記画像出力部は、前記上書き前画像データが文字を含むとき、文字、又は、文字を模した模様の上書き画像を印字することとした。
【００２０】
この構成によれば、画像出力部は、上書き前画像データが文字を含むとき、文字、又は、文字を模した模様の上書き画像を印字する。これにより、文字に文字を重ねることにより、隠匿する部分に何が記載されているか分かりづらくすることができる。
【００２１】
又、請求項６に係る発明は、請求項１乃至５の発明において、前記画像読取部と前記画像出力部は、同じ平面内に設けられ、前記平面と原稿の間隔を一定に保ち、回転する複数のコロが設けられ、前記コロは、ワンウェイクラッチを備えることとした。
【００２２】
この構成によれば、平面と用紙の間隔を一定に保ち、回転する複数のコロが設けられ、コロは、ワンウェイクラッチを備える。これにより、読み取りや上書きのための画像出力（印刷出力）が用紙に対して安定して行われる。又、読み取りや画像出力の方向が一定とされるので、同じ画像の読み取りや、再利用できない画像データが生成されることや、読み取り領域の全域の上書きが終了する前の上書き終了を防ぐことができる。
【００２３】
又、請求項７に係る発明は、請求項１乃至６の発明において、前記読取上書ユニットと、前記画像形成装置と相互に通信可能に接続され、前記上書き前画像データを蓄積するための記憶装置を含むこととした。
【００２４】
この構成によれば、画像入出力システムは、上書き前画像データを記憶する記憶装置を有する。これにより、後の再利用のため、画像形成装置以外にも、上書き前画像データを蓄積することができる。
【００２５】
又、請求項８に係る読取上書ユニットは、印刷物中の領域を読み取り、読取領域の上書き前の画像データである上書き前画像データを生成する画像読取部と、読み取りが行われた後の前記読取領域に対し、隠匿用の画像を出力して上書きを行って隠匿領域とする画像出力部と、前記上書き前画像データを出力するインターフェイス部とを含むこととした。
【００２６】
この構成によれば、画像出力部は、読取領域に対し、隠匿用画像を出力して上書きを行い、インターフェイス部は、上書き前の読取領域の画像データである上書き前画像データを出力する。これにより、秘匿したい部分を読取上書ユニットでなぞれば、上書きにより情報の隠匿がなされる。又、画像読取部による上書き前の画像データが生成され、出力される。従って、上書きによる隠匿前の画像データに基づき、隠匿部分の再現（再利用）が可能となる。
【００２７】
又、前記画像出力部は、前記上書き前画像データを特定し、呼び出すための追跡コードを含めて前記読取領域の上書きを行い、前記画像読取部が前記追跡コードを読み取ったとき、前記画像出力部は、前記追跡コードに対応する前記上書き前画像データに基づき印刷を行うこととした。
【００２８】
この構成によれば、画像出力部は、上書き前画像データを特定し、呼び出すための追跡コードを含めて読取領域の上書きを行い、インターフェイス部は、追跡コードに対応した上書き前画像データを記憶装置に出力する。これにより、複数種の上書き前画像データが存在していても、追跡コードを用いて、特定の上書き前画像データを容易に呼び出すことができる。
【発明の効果】
【００２９】
上述したように、読取上書ユニットにより、情報を確実に隠匿することができる。又、読み取り、蓄積しておいた上書き前画像データに基づき、隠匿した部分を確実、的確に再現可能な画像入出力システムを提供することができる。
【図面の簡単な説明】
【００３０】
【図１】第１の実施形態に係る読取上書ユニットの一例を示す模式図であり、（ａ）は底面図、（ｂ）は側面図、（ｃ）は正面図である。
【図２】第１の実施形態に係る画像入出力システムの一例を示すブロック図である。
【図３】第１の実施形態に係る上書き印刷の一例を説明するための説明図である。
【図４】第１の実施形態に係る読取上書ユニットが上書きで出力する画像の一例を示す説明図である。
【図５】第１の実施形態に係る読取上書ユニットでの処理の流れの一例を示すブロック図である。
【図６】第１の実施形態に係る読取上書ユニットの原稿読取処理の流れの一例を示すフローチャートである。
【図７】第１の実施形態に係る読取上書ユニットの上書き画像印刷の流れの一例を示すフローチャートである。
【図８】第１の実施形態の画像入出力システムの概要を説明するための説明図である。
【図９】第１の実施形態に係る画像入出力システムの処理の流れの一例を示すブロック図である。
【図１０】第１の実施形態に係る隠匿領域の再現の処理の流れの一例を示すフローチャートである。
【図１１】第２の実施形態に係る画像入出力システムの一例を示すブロック図である。
【図１２】第３の実施形態に係る読取上書ユニットでの処理の流れの一例を示すブロック図である。
【発明を実施するための形態】
【００３１】
本発明の実施形態を図１〜図１２を用いて説明する。以下では、読取上書ユニット１と、複合機２（画像形成装置に相当）を組み合わせた画像入出力システム３を例に挙げ説明する。まず、図１〜図１０を用い、第１の実施形態を説明する。但し、本実施の形態に記載されている構成、配置等の各要素は、発明の範囲を限定せず単なる説明例にすぎない。
【００３２】
（読取上書ユニット１の概要）
まず、図１を用い、本発明の第１の実施形態に係る読取上書ユニット１の一例を説明する。図１は、本発明の第１の実施形態に係る読取上書ユニット１の一例を示す模式図であり、（ａ）は底面図、（ｂ）は側面図、（ｃ）は正面図である。
【００３３】
まず、本実施形態の読取上書ユニット１は、画像の読み取りと、上書き印刷を一台で行うユニットである（スキャン・オーバライト）。
【００３４】
図１（ａ）に示すように、読取上書ユニット１の底面には、画像読取部１１と、画像出力部１２の一部としてのライン型のインクジェットノズルヘッド（ラインヘッド１２１）が設けられる。読取上書ユニット１の底面と原稿を対向させ、読取上書ユニット１を移動させることで、画像読取部１１により、原稿の読み取りがなされ、ラインヘッド１２１により、上書き画像の印刷がなされる。尚、読み取りや、印刷での進行方向の一例を実線矢印で示す。
【００３５】
図１（ｂ）に示すように、底面近傍であって、読取上書ユニット１の左右側面のそれぞれにコロ１３ａが設けられる。そして、同じ側面に設けられる２つのコロ１３ａには、ベルト１３ｂがかけ回される。コロ１３ａは、画像読取部１１が先、ラインヘッド１２１が後となる一定方向にのみ回転するようにワンウェイクラッチ１３ｃが内蔵される。即ち、画像読取部１１と画像出力部１２は、同じ平面内に設けられ、平面と原稿の間隔を一定に保ち、回転する複数のコロ１３ａが設けられ、コロ１３ａは、ワンウェイクラッチ１３ｃを備える。
【００３６】
ベルト１３ｂにより原稿が押さえられる。そして、ベルト１３ｂとコロ１３ａにより、画像読取部１１やラインヘッド１２１と、原稿の距離が一定で保たれる。そして、読取上書ユニット１の底面と原稿を対向させ、原稿を押さえつつ移動させる（なぞる）ことにより、原稿中の任意の部分の読み取りと、読取領域の上書きを行うことができる。尚、図１（ａ）、（ｃ）に示すように、画像読取部１１やラインヘッド１２１の長さは、例えば、ほぼ同様であり、読み取りや上書きでの最大幅は、画像読取部１１やラインヘッド１２１の長さに依存する。
【００３７】
（画像入出力システム３の概要）
次に、図２に基づき、本発明の第１の実施形態に係る画像入出力システム３を説明する。図２は本発明の第１の実施形態に係る画像入出力システム３の一例を示すブロック図である。
【００３８】
図２に示すように、本実施形態の画像入出力システム３は、複合機２（画像形成装置に相当）と、読取上書ユニット１を含む。まず、複合機２を説明する。
【００３９】
［複合機２］
複合機２本体には、操作パネル２１、スキャナ部２２、給紙部２３、搬送路２４、画像形成部２５、定着部２６等が設けられる。
【００４０】
まず、操作パネル２１は、例えば、複合機２の正面上方に設けられる。そして、操作パネル２１は、複合機２の状態や各種メッセージを表示し、機能の選択、設定などを行うためのキーを１又は複数有し、設定入力を受け付ける。
【００４１】
スキャナ部２２は、原稿を読み取り、原稿の画像データを形成する。スキャナ部２２に対して最上部に、例えば、原稿を押さえる原稿カバーが設けられる。又、スキャナ部２２内には露光ランプ、ミラー、レンズ、イメージセンサ（例えば、ＣＣＤ）等の光学系部材（不図示）が設けられる。スキャナ部２２は、原稿台に載置され原稿の読み取りを行う。
【００４２】
そして、スキャナ部２２は、これらの光学系部材を用い、原稿台に載置される原稿に光を照射し、その原稿の反射光を受けたイメージセンサの各画素の出力値をＡ／Ｄ変換し、画像データを生成する。複合機２は、例えば、読み取りにより得られた画像データに基づき印刷を行うことができる（コピー機能）。
【００４３】
給紙部２３は、複数の用紙（例えば、コピー用紙、普通紙、再生紙、厚紙、ＯＨＰシート等の各種シート）を収容し、印刷のとき、１枚ずつ搬送路２４に送り込む。搬送路２４は、給紙部２３から供給された用紙を搬送する。
【００４４】
画像形成部２５は、画像データに基づきトナー像を形成し、搬送される用紙にトナー像を転写する。例えば、複合機２の画像形成部２５は、感光体ドラム、及び、感光体ドラムの周囲に配設された帯電装置、露光装置、現像装置、転写ローラ、清掃装置等を備える。これらの部材を用い、画像形成部２５は、画像データ（例えば、スキャナ部２２で得られた画像データや、ネットワーク等により接続される外部のＰＣ４や相手方ＦＡＸ装置５（図２参照）から送信された画像データ等）に基づき、トナー像を形成し用紙に転写する。
【００４５】
定着部２６は、用紙に転写されたトナー像を定着させる。定着部２６は、例えば、発熱体を内蔵する加熱ローラや加圧ローラを含む。加圧しつつ、用紙表面のトナーを溶融・加熱して、トナー像を用紙に定着させる。トナー定着後の用紙は、機外に排出される。尚、本実施形態の複合機２は、トナー像を形成する例を説明したが、インクジェット式の画像形成部２５であってもよい
【００４６】
そして、複合機２内には、主制御部２０（追跡コード認識部に相当）が設けられる。主制御部２０は、複合機２の動作を制御する。主制御部２０は、操作パネル２１、スキャナ部２２、給紙部２３、搬送路２４、画像形成部２５、定着部２６等の各部とバスや信号線等で接続され、各部、各装置を制御して複合機２の動作を制御する。
【００４７】
そして、主制御部２０はＣＰＵ２０１、画像処理部２０２等を含む。尚、主制御部２０は、全体制御や画像処理を行う本体制御部や、画像形成や各種回転体を回転させるモータ等のＯＮ／ＯＦＦ等を制御するエンジン制御部等、機能ごとに分割された形態で設けられてもよい。本説明では、これらの制御部を主制御部２０としてまとめた形態を説明する。
【００４８】
ＣＰＵ２０１は、中央演算処理装置であって、記憶部２７に格納され、展開されるプログラムやデータに基づき複合機２の各部を制御する。画像処理部２０２は、印刷を行う画像データや、外部のＰＣ４や相手方のＦＡＸ装置５に送信される画像データに対し、各種画像処理を施す。
【００４９】
記憶部２７は、例えば、ＲＯＭ、ＲＡＭ、ＨＤＤを含み、不揮発性と揮発性の記憶用の装置を組み合わせて構成される。そして、記憶部２７は、複合機２の制御用等の各種のプログラムやデータ、設定データ、画像データ等の各種データを記憶する。
【００５０】
更に、主制御部２０は、各種コネクタ、ソケット、通信制御用のチップ等を備えた通信部２８と接続される。通信部２８は、ネットワークや公衆回線等により、ＰＣ４や、相手方ＦＡＸ装置５と通信可能に接続される。例えば、画像データを含むデータを外部のＰＣ４や相手方ＦＡＸ装置５（インターネットＦＡＸでもよい）に送信することができる（スキャナ機能、ＦＡＸ機能）。ＰＣ４や相手方ＦＡＸ装置５からの画像データに基づき印刷を行うこともできる（プリンタ機能、ＦＡＸ機能）。
【００５１】
特に、本発明に関し、通信部２８は、読取上書ユニット１から出力された読取領域の画像データ（上書き前画像データ）を受信する。そして、例えば、主制御部２０は、複合機２の記憶部２７に上書き前画像データを記憶させる。
【００５２】
［読取上書ユニット１］
次に、図２を用いて、読取上書ユニット１のハードウェアの一例を説明する。図２に示すように、読取上書ユニット１は、制御部１０、画像読取部１１、画像処理部１４、画像メモリ１５、Ｉ／Ｆ部１６、記憶部１７、画像出力部１２、操作部１８、駆動モータＭ１などを含む。
【００５３】
制御部１０は、ＣＰＵやマイコン、制御用チップ等を含み、読取上書ユニット１に含まれる各部材の動作を制御する
【００５４】
画像読取部１１は、読取上書ユニット１の下面に設けられ、原稿に光を照射するランプ１１０やライン型のイメージセンサ１１１やＡ／Ｄ変換器１１２を含む。例えば、画像読取部１１は、ＣＩＳ方式のスキャナである。画像読取部１１のイメージセンサ１１１は、原稿をなぞる方向への１ラインずつの読み取りの繰り返しにより、原稿からの反射光のレベルに応じて、画素ごとにアナログ信号を出力する。Ａ／Ｄ変換器１１２は、イメージセンサ１１１から出力される各画素のアナログ信号をディジタルデータに変換する。尚、本実施形態の画像読取部１１は、カラーによる読み取りを行える。
【００５５】
画像処理部１４は、画像読取部１１が出力した画像データに対し、複合機２に送信する上で必要な画像処理など、画像データに関して各種の処理を行う。画像メモリ１５は、画像読取部１１が出力した画像データや、画像処理部１４が処理した画像データを一時的に蓄え、展開するためのメモリである。Ｉ／Ｆ部１６は、複合機２に画像データを送信するためのインターフェイスである。
【００５６】
画像出力部１２は、複数のノズルを有し、画像データに合わせてインクを吐出するラインヘッド１２１、画像データに合わせて、各ノズルでのインク吐出を制御するコントローラ１２０、ラインヘッド１２１にインクを供給するインクタンク１２２などを備える。
【００５７】
本実施形態では、ラインヘッド１２１内には、黒色のもののほか、シアン、マゼンタ、イエローといったカラーのものも含まれる。言い換えると、ラインヘッド１２１は複数色のインクを吐出し、画像出力部１２は、カラー印刷対応である。そして、コントローラ１２０は、画像データに合わせ、ブラック、シアン、マゼンタ、イエローのラインヘッド１２１からのインク吐出をコントロールする。又、インクタンク１２２も各色の補給用インクを内蔵する。
【００５８】
記憶部１７は、不揮発性のメモリを含む。記憶部１７は、例えば、画像出力部１２が読取領域の上書きを行い、隠匿領域Ｆ１を生成するうえでの複数種の上書き画像の画像データを記憶する。コントローラ１２０は、上書き画像の画像データに基づき、インクを吐出させ、上書きを行わせる。尚、記憶部１７には、画像読取部１１が読み取り、画像処理部１４が処理した画像データを記憶してもよい。
【００５９】
操作部１８は、読取上書ユニット１の動作を操作するためのボタンやスイッチが設けられる。例えば、読取上書ユニット１には、原稿内の一部の領域を読み取り、読取済みの領域を上書きする。そこで、例えば、操作部１８には、読取開始のトリガとしての読取開始ボタン１８１や、原稿読取の終了を指示するための読取終了ボタン１８２や、動作状態を知らせるためのインジケータなどを設けてもよい。
【００６０】
駆動モータＭ１は、コロ１３ａを一定の速度で回転させるモータである。制御部１０は、駆動モータＭ１を動作させ、コロ１３ａを回転させる。これにより、仕様上、好ましい一定の速度で、原稿をスキャンすることができる。尚、駆動モータＭ１を設けずとも、手押しにより、原稿読取や上書きを行える。
【００６１】
（読み取りと上書き印刷）
次に、図３〜図５に基づき、本発明の実施形態に係る読取上書ユニット１を用いた読み取りと上書き印刷の概要を説明する。図３は、本発明の第１の実施形態に係る上書き印刷の一例を説明するための説明図である。図４は、本発明の第１の実施形態に係る読取上書ユニット１が上書きで出力する画像の一例を示す説明図である。図５は、本発明の第１の実施形態に係る読取上書ユニット１での処理の流れの一例を示すブロック図である。
【００６２】
まず、図３を用いて、本実施形態の読取上書ユニット１による上書き印刷の概要を説明する。読取上書ユニット１は、隠匿したい情報が記された部分を読み取り、後日の再現のため読取領域の画像データを生成、出力するとともに、読取済みの領域に対し画像出力部１２を用いて上書し、隠匿する。
【００６３】
例えば、図３に示す原稿のうち、破線で囲まれた領域（大文字アルファベットが記された領域）を上書きして隠匿するとする。まず、読取上書ユニット１の下面を原稿にあて、破線で囲まれた領域がなぞられ、これにあわせ、画像読取部１１が読み取りを行う。その後、なぞる方向からみて後方に位置する画像出力部１２が、読取領域に上書き画像を出力し、上書きする。このように、読取上書ユニット１により、原稿中の隠匿したい領域を１回なぞるだけで、隠匿する領域の読み取りと、上書き（隠匿領域Ｆ１の形成）がなされる。上書きされた原稿の一例が、図３の右側に示す図である。図３の右側の図では、上書きされた部分を網掛けで図示している。
【００６４】
図４は、読取領域に上書きされる上書き画像の一例を示している。例えば、読取領域が、カラー画像であれば、図４（ａ）に示すような、上書き画像で上書きがなされる。尚、図４（ａ）に示す上書き画像は、色弱検査用画像のような、大きさや色が異なる複数種の円や楕円が混在する画像である。
【００６５】
又、読取領域が、文字を含む領域であれば、図４（ｂ）に示すような、文字や文字のような模様を重複し羅列させた上書き画像を上書きする。尚、図４（ｂ）は、アルファベットを縦方向と横方向に１回ずつ重ねて生成された画像である。又、上書き画像は、図４（ｃ）に示すように、バーコード状の上書き画像で有ってもよい。
【００６６】
次に、図５を用いて、上書きモードでの画像データの流れを説明する。画像データの流れを図５では白抜矢印で示す。例えば、使用者は、読取開始ボタン１８１を押し、原稿のうち隠匿したい領域を読取上書ユニット１の下面でなぞる。
【００６７】
画像読取部１１は、画像データを出力する。画像読取部１１が出力した画像データは、画像処理部１４に送られ、例えば、画像処理部１４は、シェーディング補正やγ補正等の画像処理を施す。その後、読取領域の画像データは、画像メモリ１５に蓄えられる。尚、画像メモリ１５に蓄えられた複数ライン分の画像データに対し画像処理を施すため、画像処理部１４と画像メモリ１５間で画像データのやり取りが１又は複数回なされてもよい。
【００６８】
画像メモリ１５に蓄えられた読取領域の画像データ（上書き前画像データ）は、Ｉ／Ｆ部１６を介し、複合機２（の通信部２８）に送信される。その結果、上書き前画像データは、後の再利用のために、複合機２の記憶部２７に記憶される。尚、Ｉ／Ｆ部１６と複合機２が常時通信可能に接続されているとは限らないので、画像メモリ１５に蓄えられた上書き前画像データは、読取上書ユニット１内部の記憶部１７に蓄積してもよい。又、例えば、Ｉ／Ｆ部１６にケーブルを介して複合機２が接続されると、記憶部１７に蓄積された読取領域の画像データが、自動的に複合機２にまとめて吸い上げられる（転送される）ようにしてもよい。
【００６９】
又、画像処理部１４は、読取領域の特徴を認識する。例えば、画像処理部１４は、読取領域の画像データの各画素の濃度分布に基づき、モノクロであるか、カラーであるかを判断する。又、画像処理部１４は、読取領域が文字を含む領域か、文字を含まない領域（模様や写真）であるかを判断してもよい。例えば、画像処理部１４は、読取領域の一部の画像データに対し、エッジ強調処理や、エッジに相当する画素数を数える処理を行う。そして、画像処理部１４は、検討する領域の全画素数に対し、エッジに相当する画素数の比率が予め定められた値以上であれば読取領域が文字を含む領域と判断し、未満であれば、模様や写真であると判断してもよい。尚、画像処理部１４によりなされる判断処理は、上記に限られず、既存のＯＣＲ技術を利用する等、文字領域か、文字領域でないかの判断がなされる処理であればよい。
【００７０】
画像処理部１４は、この読取領域の認識結果を制御部１０に伝える。制御部１０は、記憶部１７に記憶された複数種の上書き画像のうち、用いる上書き画像を定める。例えば、制御部１０は、読取領域が、カラーの模様や写真領域であれば、図４（ａ）に示す上書き画像を、白黒の模様や写真領域であれば、図４（ｃ）に示すバーコード画像を、文字領域であれば、図４（ｂ）に示す上書き画像を用いると定める。読取領域に対しどのような上書き画像を用いるか定めるアルゴリズムは、予め用意され、記憶部１７に記憶される上書き画像の種類に応じて任意に定められる。
【００７１】
即ち、画像出力部１２は、画像読取部１１の読み取りに基づき得られた上書き前画像データに応じ、上書きのときに出力する画像を変化させる。具体的に、画像出力部１２は、上書き前画像データの画像データがカラーであるとき、黒色以外の色も用いた上書き画像（図４（ａ）に示す画像）を印字し、上書き前画像データがモノクロであるとき、黒色の上書き画像（図４（ｃ）に示す画像）を印字する。又、画像出力部１２は、上書き前画像データが文字を含むとき、文字、又は、文字を模した模様の上書き画像（図４（ｂ）に示す画像）を印字する。
【００７２】
制御部１０からの指示に応じ、記憶部１７から、上書き画像の画像データが画像出力部１２に与えられる。そして、画像出力部１２は、上書き画像の画像データに基づき、読取領域を上書きし、読取領域を隠匿領域Ｆ１とする。
【００７３】
（原稿読取の流れ）
次に、図６を用いて、本発明の第１の実施形態に係る読取上書ユニット１の原稿読取の流れを説明する。図６は、本発明の第１の実施形態に係る読取上書ユニット１の原稿読取処理の流れの一例を示すフローチャートである。
【００７４】
図６のスタートは、読取上書ユニット１のベルト１３ｂと原稿が接した状態とされ、原稿の読み取りと上書きを行うため読取開始ボタン１８１がＯＮされた時点である。
【００７５】
そして、制御部１０は、ランプ１１０を点灯させ（ステップ♯１１）、又、駆動モータＭ１を動作させてコロ１３ａを回転させる（ステップ♯１２）。そして、Ａ／Ｄ変換器１１２が、イメージセンサ１１１から出力された各画素のアナログ信号をディジタルデータに変換し、例えば、画像読取部１１から１ライン分の画像データが出力される（ステップ♯１３）。そして、画像データに対し画像処理部１４による各種画像処理がなされ、画像メモリ１５にデータが蓄えられる（ステップ♯１４）。
【００７６】
そして、制御部１０は、原稿の読み取りが終了したかを確認する（ステップ♯１５）。例えば、制御部１０は、読取終了ボタン１８２が押されたことを認識し、原稿読取終了を確認する。もし、原稿読取継続であれば（ステップ♯１５のＮｏ）、ステップ♯１１に戻り、原稿読取と、画像データの蓄積が継続される。
【００７７】
一方、原稿読取終了であれば（ステップ♯１５のＹｅｓ）、制御部１０は、ランプ１１０を消灯する（ステップ♯１６）。尚、コロ１３ａは、読取領域の上書きのため、しばらくして後（上書き完了後）に停止する。
【００７８】
そして、画像メモリ１５に蓄積された読取領域の画像データが不揮発的に記憶される（ステップ♯１７）。複合機２の記憶部２７を不揮発的な記憶先としてもよい。この場合、Ｉ／Ｆ部１６から読取領域の画像データが複合機２の通信部２８に向けて送信される。又、読取上書ユニット１の記憶部１７を不揮発的な記憶先としてもよい。この場合、記憶部１７に読取領域の画像データが蓄積される。そして、上書きモードでの原稿読取処理は終了する（エンド）。
【００７９】
（上書き画像印刷の流れ）
次に、図７を用いて、本発明の第１の実施形態に係る読取上書ユニット１による上書き画像印刷の流れを説明する。図７は、本発明の第１の実施形態に係る読取上書ユニット１の上書き画像印刷の流れの一例を示すフローチャートである。
【００８０】
まず、図７のスタートは、原稿の読み取りが開始された時点である。原稿読取と上書き画像印刷は、並列実行される。しかし、図１（ａ）に示すように、イメージセンサ１１１と、ラインヘッド１２１は、位置が離れている。言い換えると、イメージセンサ１１１の読取開始ラインの位置と、ラインヘッド１２１が対向するまで時間がある。
【００８１】
そこで、原稿読取が開始されると、制御部１０は、画像処理部１４による読取領域の解析（例えば、色や文字を含むか等）に基づき、上書きで用いる上書き画像を定める（ステップ♯２１、図４（ａ）〜（ｃ）参照）。そして、記憶部１７から制御部１０が用いると定めた上書き画像の画像データが読み出され、画像出力部１２に与えられる（ステップ♯２２）。
【００８２】
そして、制御部１０は、上書きを開始する時点に至ったかの確認を続ける（ステップ♯２３のＮｏ→ステップ♯２３）。言い換えると、制御部１０は、原稿読取開始ラインと上書きにおける最初のラインとがほぼ一致する状態となったかを確認する。
【００８３】
例えば、制御部１０は、イメージセンサ１１１とラインヘッド１２１の間隔分だけコロ１３ａ（ベルト１３ｂ）が回転したかを確認する。より具体的には、コロ１３ａの周速度に基づき、イメージセンサ１１１とラインヘッド１２１の間隔とコロ１３ａの同じ周長を回転させるのに必要な時間を予め求め、定めておく。制御部１０は、原稿読取開始から、予め定めた時間が経過した時点に至ると、上書きを開始する時点に至ったと認識する。
【００８４】
上書き開始時点に至ると（ステップ♯２３のＹｅｓ）、制御部１０は、追跡コードを含めつつ、画像出力部１２に上書きを行わせる（ステップ♯２４）。
【００８５】
ここで、追跡コードを説明する。追跡コードは、読取領域の画像データ（上書き前画像データ）を再利用するために、上書き画像とともに印刷される（上書き画像に埋め込まれる）。追跡コードを読み取り、追跡コードを特定し、上書きにより視認できなくなった隠匿領域Ｆ１に対応する上書き前画像データが特定される。そのため、記憶部１７や記憶部２７は、上書き前画像データに付随して、追跡コードに対応するデータや符号（例えば、画像データの名称）を記憶する。
【００８６】
追跡コードは、上書き画像とともに印刷される（埋め込まれる）。追跡コードは、例えば、読取領域のうち、予め決まった特定の位置（例えば、読取領域の右上隅部分や中央部分）に印刷されてもよい。例えば、追跡コードは、視認しづらいインク（例えば、イエローインク）を用いて印刷される。
【００８７】
又、追跡コードは、例えば、上書き前画像データの名称でもよい。又、追跡コードは、上書き前画像データの名称を、例えば、ドットパターンや数字などに暗号化したものでもよい。又、上書き画像を、上書き前画像データの名称を示すバーコードとしてもよい。尚、複合機２のスキャナ部２２の読み取りにより、追跡コードが認識できればよく、公知のデータハイディング技術を用いて、追跡コードの埋め込み（読取領域への印刷）が行われてもよい。
【００８８】
そして、制御部１０は、原稿読取が終了したかを確認する（ステップ♯２５）。例えば、制御部１０は、読取終了ボタン１８２が押されたことを認識し、原稿読取終了を確認する。原稿読取終了を確認できなければ（ステップ♯２５のＮｏ）、画像出力部１２による上書きが続けられる（ステップ♯２４に戻る）
【００８９】
原稿読取終了を確認できれば（ステップ♯２５のＹｅｓ）、制御部１０はイメージセンサ１１１とラインヘッド１２１の幅分の残りの上書き出力を行い（ステップ♯２６）、コロ１３ａを停止させる（ステップ♯２７）。これにより、本制御は終了する（エンド）。
【００９０】
（隠匿領域Ｆ１の再現）
次に、図８、図９に基づき、本発明の実施形態に係る画像入出力システム３の隠匿領域Ｆ１の再現の概要を説明する。図８は、本発明の第１の実施形態に係る画像入出力システム３の概要を説明するための説明図である。図９は、本発明の第１の実施形態に係る画像入出力システム３の処理の流れの一例を示すブロック図である。
【００９１】
まず、図８を用いて、本実施形態の画像入出力システム３の隠匿領域Ｆ１の再現の概要を説明する。再現モードでは、複合機２は、隠匿領域Ｆ１（上書きされた領域）を読み取り、追跡コードを認識する。そして、複合機２は、追跡コードに対応する読取領域の画像データを、用紙に出力し、上書きされ読めなくなった部分を再現する。
【００９２】
図８に示す左側の原稿のうち、破線で囲まれた領域は、既に上書きされ、隠匿された部分（隠匿領域Ｆ１）である。この部分には、本実施形態の読取上書ユニット１により、追跡コードが埋め込まれている。
【００９３】
そして、複合機２のスキャナ部２２で原稿を読み取らせる。スキャナ部２２は、隠匿領域Ｆ１を含む原稿の画像データを出力する。この画像データに基づき、主制御部２０が隠匿領域Ｆ１に埋め込まれた追跡コードを認識する。この認識処理は、主制御部２０のＣＰＵ２０１が行ってもよいし、画像処理部２０２が行ってもよい。
【００９４】
複合機２の主制御部２０は、追跡コードに対応する上書き前画像データを記憶部２７から読み出し、図８の右側に示すように、再現出力（印刷）を行わせる。言い換えると、隠匿領域Ｆ１は、上書き前の状態で印刷される。
【００９５】
このとき、図８右側上段に示すように、上書き前画像データのみを印刷してもよい。又、図８右側下段に示すように、スキャナ部２２で読み取った画像データのうち、隠匿領域Ｆ１部分を上書き前画像データに置き換えた画像が印刷されてもよい。図８右側下段に示す印刷物は、上書き前の印刷物全体をほぼ再現したものとなる。尚、上書き前画像データのみを印刷するか、あるいは、上書き前の印刷物全体をほぼ再現するかは、予め操作パネル２１で設定される。
【００９６】
尚、上書き前の印刷物全体をほぼ再現するうえで必要な隠匿領域Ｆ１の認定手順の一例を説明しておく。まず、隠匿領域Ｆ１を含む原稿をスキャナ部２２が読み取る。これにより、隠匿領域Ｆ１を含む原稿の画像データが得られる。主制御部２０（例えば、画像処理部２０２）が、この隠匿領域Ｆ１を含む原稿の画像データに対し、隠匿領域Ｆ１を特定する処理を行う。例えば、上書き印刷のとき、隠匿領域Ｆ１の４隅部分に、隠匿領域Ｆ１の境界を示す印（例えば、特定色の記号や特定のドットのパターン）を形成しておき、主制御部２０は、隠匿領域Ｆ１を含む原稿の画像データのうちの印を特定して隠匿領域Ｆ１を認定してもよい。あるいは、複合機２の記憶部２７に読取上書ユニット１の上書き画像の画像データを記憶させておく。この上書き画像の画像データに基づき、主制御部２０が、パターンマッチングを行い、隠匿領域Ｆ１を認定してもよい。尚、隠匿領域Ｆ１の認定における手法は、上記のものに限られず、画像データ中の隠匿領域Ｆ１を特定できればよい。
【００９７】
次に、図９を用いて、再現モードでの画像データの流れを説明する。まず、複合機２のスキャナ部２２は、原稿台に載置され、読取上書ユニット１により上書きされた領域（隠匿領域Ｆ１）を含む原稿を読み取る。読み取りで得られた原稿の画像データは、主制御部２０に送られる。主制御部２０のＣＰＵ２０１や画像処理部２０２は、追跡コードを認識し、隠匿領域Ｆ１の範囲を認定をする。
【００９８】
主制御部２０は、認識した追跡コードに基づき、上書き前画像データを記憶部２７から読み出す。そして、上書き前画像データや、隠匿領域Ｆ１を上書き前画像データに置き換えた原稿全体の画像データが、画像形成部２５に送信される。そして、画像形成部２５は、予めなされた設定にあわせ、上書き前画像データや、隠匿領域Ｆ１を上書き前画像データに置き換えた原稿全体の画像データに基づき、トナー像を形成し、隠匿された情報を再現する。
【００９９】
（隠匿領域Ｆ１の再現処理の流れ）
次に、図１０を用いて、本発明の第１の実施形態に係る隠匿領域Ｆ１の再現処理の流れの一例を説明する。図１０は、本発明の第１の実施形態に係る隠匿領域Ｆ１の再現の処理の流れの一例を示すフローチャートである。尚、本フローチャートでは、隠匿領域Ｆ１を上書き前画像データに置き換え、上書き前の印刷物全体をほぼ再現する例を説明する。
【０１００】
図１０のスタートは、隠匿領域Ｆ１（上書きされた領域）を含む原稿が複合機２にセットされた時点である。例えば、このとき、操作パネル２１を操作し、複合機２のモードが隠匿領域Ｆ１を再現するモードにセットされる。
【０１０１】
そして、主制御部２０は、スキャナ部２２を動作させ、隠匿領域Ｆ１（上書きされた領域）を含む原稿の読み取りを行う（ステップ♯３１）。そして、スキャナ部２２が、読み取りにより、隠匿領域Ｆ１を含む原稿の１ページ分の画像データを生成する（ステップ♯３２）。そして、主制御部２０（ＣＰＵ２０１や画像処理部２０２）は、隠匿領域Ｆ１の範囲を認定する（ステップ♯３３）。又、主制御部２０は、認定した隠匿領域Ｆ１の画像データから、隠匿領域Ｆ１に埋め込まれた追跡コードを認識する（ステップ♯３４）。
【０１０２】
次に、主制御部２０は、追跡コードに対応する上書き前画像データを記憶部２７から読み出す（ステップ♯３５）。そして、主制御部２０（ＣＰＵ２０１や画像処理部２０２）は、画像データのうちの隠匿領域Ｆ１の画像データを読み出された上書き前画像データに置き換える合成処理を行って、上書き前の原稿を再現した画像データを生成する（ステップ♯３６）。
【０１０３】
主制御部２０は、上書き前画像データを利用した画像データに基づき、画像形成（印刷）を行わせる（ステップ♯３７）。具体的には、主制御部２０は、給紙部２３、搬送路２４に用紙の給紙、搬送を行わせつつ、画像形成部２５に生成した画像データに基づきトナー像を形成させ、定着部２６にトナー像を用紙に定着させる。尚、上書き前の印刷物全体を再現するのではなく、隠匿部分のみ再現する設定が操作パネル２１に予めなされていれば、主制御部２０は、ステップ♯３６をスキップし、上書き前画像データに基づき、画像形成を行わせればよい。そして、印刷が完了し、隠匿領域Ｆ１の再現がなされる（エンド）。
【０１０４】
即ち、画像出力部１２は、上書き前画像データを特定し、呼び出すための追跡コードを含めて読取領域の上書きを行って隠匿領域Ｆ１を生成し、画像形成装置（複合機２）は、原稿を読み取るスキャナ部２２と、スキャナ部２２で隠匿領域Ｆ１を含む原稿を読み取って得られた画像データを解析し、追跡コードを認識する追跡コード認識部（主制御部２０）を備え、画像形成部２５は、認識された追跡コードに対応する上書き前画像データに基づく画像を形成する。より具体的には、画像形成装置（複合機２）は、スキャナ部２２で隠匿領域Ｆ１を含む原稿を読み取って得られた画像データのうち、隠匿領域Ｆ１を、追跡コードに対応する上書き後画像データに置き換えて、上書きを行う前の状態の原稿を再現する画像データである再現画像データを生成する処理を行う画像処理部２０２を有し、画像形成部２５は、再現画像データに基づく画像を形成する。
【０１０５】
又、画像入出力システム３は、印刷物中の領域を読み取り、読取領域の上書き前の画像データである上書き前画像データを生成する画像読取部１１と、読み取りが行われた後の読取領域に対し、隠匿用の画像を出力して上書きを行って隠匿領域Ｆ１を生成する画像出力部１２と、上書き前の画像データを出力するインターフェイス部を含む読取上書ユニット１と、読取上書ユニット１から上書き前画像データを受信する通信部２８と、通信部２８が受信した上書き前画像データを記憶する記憶部２７と、上書き前画像データに基づき画像を形成する画像形成部２５を含む画像形成装置（複合機２）と、を含む。
【０１０６】
このようにして、本実施形態によれば、画像出力部１２は、読取領域に対し、隠匿用の画像を出力して上書きを行う。これにより、秘匿したい部分を読取上書ユニット１でなぞれば、上書きにより情報の隠匿がなされる。又、画像読取部１１は、上書き前の読取領域の画像データを生成する。そして、生成された画像データは、インターフェイス部から出力され画像形成装置（複合機２）が蓄える。これにより、上書き前画像データに基づき、画像形成部２５が画像を形成して、隠匿部分を的確に再現（再利用）することができる。
【０１０７】
又、追跡コード認識部（主制御部２０）は、隠匿領域Ｆ１に印刷された（埋め込まれた）追跡コードを認識する。これにより、複数種の上書き前画像データが存在していても、追跡コードを用いて、特定の上書き前画像データを容易に呼び出し、印刷により再現することができる。又、画像形成部２５は、再現画像データに基づく画像を形成する。これにより、上書きする前の状態の原稿と同様の印刷物が得られる。従って、ほぼ完全な形で、原稿を再現することができる。
【０１０８】
又、画像出力部１２は、画像読取部１１の読み取りに基づき得られた上書き前画像データに応じ、上書きのときに出力する画像を変化させる。これにより、画像に合わせて、隠匿効果が高い画像を上書きすることができる。画像出力部１２は、上書き前画像データの画像データがカラーであるとき、黒色以外の色も用いた上書き画像を印字し、上書き前画像データがモノクロであるとき、黒色の上書き画像を印字する。これにより、隠匿領域Ｆ１の色に合わせて、上書きを行うことができる。例えば、隠匿領域Ｆ１がモノクロ（白黒灰）であるとき、黒色を用いて、効果的に隠匿がなされる。又、上書き前画像データの画像データがカラーであるとき、黒色以外の色も用いて、効果的に隠匿がなされる。又、画像出力部１２は、上書き前画像データが文字を含むとき、文字、又は、文字を模した模様の上書き画像を印字する。これにより、文字に文字を重ねることにより、隠匿する部分に何が記載されているか分かりづらくすることができる。
【０１０９】
又、平面と用紙の間隔を一定に保ち、回転する複数のコロ１３ａが設けられ、コロ１３ａは、ワンウェイクラッチ１３ｃを備える。これにより、読み取りや上書きのための画像出力（印刷出力）が用紙に対して安定して行われる。又、読み取りや画像出力の方向が一定とされるので、同じ画像の読み取りや、再利用できない画像データが生成されることや、読み取り領域の全域の上書きが終了する前の上書き終了を防ぐことができる。
【０１１０】
（第２の実施形態）
次に、図１１に基づき、本発明の第２の実施形態に係る画像入出力システム３の一例を説明する。図１１は、本発明の第２の実施形態に係る画像入出力システム３の一例を示すブロック図である。
【０１１１】
第１の実施形態では、読取上書ユニット１と、上書き前画像データを蓄積する複合機２で画像入出力システム３を構成する例を説明した。第２の実施形態では、情報処理装置６を用いて画像入出力システム３を構成する例を説明する。
【０１１２】
尚、第２の実施形態の画像入出力システム３における読取上書ユニット１や複合機２は、第１の実施形態と同様でよい。そこで、第１の実施形態と第２の実施形態で共通する部分は、特に説明する場合を除き、第１の実施形態における記載を援用するものとして、図示、説明を省略する。尚、図１１では、複合機２は簡略化して図示している。
【０１１３】
まず、画像入出力システム３での情報処理装置６を説明する。尚、複合機２に対し、複数台の情報処理装置６を接続可能であるが、便宜上、図３では情報処理装置６を一台のみ示す。情報処理装置６は、例えば、パーソナルコンピュータやサーバや携帯情報通信端末である。
【０１１４】
情報処理装置６は、内部に、情報処理装置６でのデータ処理や、制御を行う処理部６０を有する。処理部６０は、例えば、ＣＰＵや各種チップを搭載した基板からなる。記憶部６１は、例えば、ＨＤＤやＲＯＭやＲＡＭからなり、例えば、情報処理装置６の制御プログラムや複合機２用のドライバソフトウェアを記憶する。入力装置６２は、例えば、キーボードやマウスであり、情報処理装置６に対する入力インターフェイスである。ディスプレイ６３は、各種画面を表示し、例えば、ドライバソフトウェアを起動させた場合、複合機２での印刷設定に関する画面を表示する。データ通信部６４は、他の情報処理装置６や複合機２やネットワークに接続するためのインターフェイスであり、通信用チップや、コネクタ等を含む。
【０１１５】
そして、情報処理装置６のデータ通信部２８は、読取上書ユニット１と通信可能に接続される。読取上書ユニット１がＩ／Ｆ部１６から出力した上書き前画像データを受信し、記憶部６１は、上書き前画像データを記憶できる。更に、情報処理装置６は、ネットワークやケーブル等により、複合機２を通信可能に接続できる。従って、記憶部６１に蓄積された上書き前画像データを複合機２に転送や送信を行うことができる。
【０１１６】
第２の実施形態の画像入出力システム３では、情報処理装置６は、上書き前画像データを蓄える記憶装置として、読取上書ユニット１と複合機２間に設けられる。具体的に、情報処理装置６は、上書き印刷を行うとき、読取領域の画像データ（上書き前画像データ）を読取上書ユニット１から受信する。更に、隠匿領域Ｆ１を再現するとき、複合機２は、追跡コードに対応する上書き前画像データの送信を情報処理装置６に要求し、これを受け、情報処理装置６は、複合機２に上書き前画像データを送信する。即ち、本実施形態の画像入出力システム３は、読取上書ユニット１と、画像形成装置（複合機２）と相互に通信可能に接続され、上書き前画像データを蓄積するための記憶装置（情報処理装置６）を含む。
【０１１７】
このようにして、本実施形態によれば、画像入出力システム３は、上書き前画像データを記憶する記憶装置（情報処理装置６）を有する。これにより、後の再利用のため、画像形成装置（複合機２）以外にも、上書き前画像データを蓄積することができる。
【０１１８】
（第３の実施形態）
次に、図１２に基づき、本発明の第３の実施形態に係る読取上書ユニット１の一例を説明する。図１２は、本発明の第３の実施形態に係る読取上書ユニット１での処理の流れの一例を示すブロック図である。
【０１１９】
第１、第２の実施形態に示した画像入出力システム３では、複合機２を用いて隠匿領域Ｆ１の再現印刷を行う例を説明した。本実施形態では、読取上書ユニット１で隠匿領域Ｆ１の再現印刷を行う例を説明する。言い換えると、読取上書ユニット１で追跡コードを認定し、読取上書ユニット１の画像出力部１２を用いて、隠匿領域Ｆ１の再現印刷を行う例を説明する。
【０１２０】
具体的に、本実施形態では、画像読取部１１が追跡コードが埋め込まれた隠匿領域Ｆ１を読み取り、追跡コードに対応する上書き前画像データを画像出力部１２から出力する再現印刷を行う。再現印刷における一連の動作は、上書きを行うときと異なるので、読取上書ユニット１の操作部１８に、上書きモードと再現モードを選択するためのモード選択スイッチ１８３が設けられてもよい。又、読取上書ユニット１で上書きでない印刷が行われるので、図１２に示すように、印刷開始ボタン１８４が操作部１８に設けられてもよい。
【０１２１】
再現モードのとき、読取上書ユニット１は、まず、隠匿領域Ｆ１の読み取りを行う。使用者は、隠匿領域Ｆ１が読み取り範囲に含まれるように、読取上書ユニット１をセットする。そして、制御部１０は、読取開始ボタン１８１が押されてから、読取終了ボタン１８２が押されるまで、画像読取部１１に読み取りを行わせる。
【０１２２】
図１２に示すように、画像読取部１１により生成された隠匿領域Ｆ１の画像データは、画像メモリ１５に蓄積される。そして、例えば、制御部１０や画像処理部１４が、隠匿領域Ｆ１の画像データに基づき、追跡コードを認識する。これにより、制御部１０は、追跡コードに対応する上書き前画像データを認識する。
【０１２３】
上書き前画像データが、Ｉ／Ｆ部１６から出力され、複合機２や情報処理装置６に蓄積されるのであれば、制御部１０は、追跡コードに対応する上書き前画像データの送信要求を複合機２や情報処理装置６に送信する。これにより、制御部１０は、上書き前画像データを複合機２や情報処理装置６から受け取る。
【０１２４】
上書き前画像データが、読取上書ユニット１内の記憶部１７に蓄積されるのであれば、制御部１０は、例えば、記憶部１７にアクセスして、追跡コードに対応する上書き前画像データの存在を確認する。
【０１２５】
上書き前画像データが用意できると、制御部１０は、図１２に示すように、画像出力部１２に、上書き前画像データを与える。そして、制御部１０は、コロ１３ａを回転させつつ、ラインヘッド１２１からインクを吐出させ、上書き前画像データに基づく印刷を行わせる。例えば、制御部１０は、印刷開始ボタン１８４が押されたことをトリガとして、コロ１３ａの回転や画像出力部１２の印刷を開始させる。
【０１２６】
即ち、本実施形態の読取上書ユニット１は、印刷物中の領域を読み取り、読取領域の上書き前の画像データである上書き前画像データを生成する画像読取部１１と、読み取りが行われた後の読取領域に対し、隠匿用の画像を出力して上書きを行って隠匿領域Ｆ１を生成する画像出力部１２と、上書き前画像データを出力するインターフェイス部とを含む。又、読取上書ユニット１は、画像出力部１２は、上書き前画像データを特定し、呼び出すための追跡コードを含めて読取領域の上書きを行い、画像読取部１１が追跡コードを読み取ったとき、画像出力部１２は、追跡コードに対応する上書き前画像データに基づき印刷を行う。
【０１２７】
このようにして、本実施形態の読取上書ユニット１によれば、画像出力部１２は、読取領域に対し、隠匿用画像を出力して上書きを行い、インターフェイス部は、上書き前の読取領域の画像データである上書き前画像データを出力する。これにより、秘匿したい部分を読取上書ユニット１でなぞれば、上書きにより情報の隠匿がなされる。又、画像読取部１１による上書き前の画像データが生成され、出力される。従って、上書きによる隠匿前の画像データに基づき、隠匿部分の再現（再利用）が可能となる。
【０１２８】
又、画像出力部１２は、上書き前画像データを特定し、呼び出すための追跡コードを含めて読取領域の上書きを行い、インターフェイス部は、追跡コードに対応した上書き前画像データを記憶装置（情報処理装置６）に出力する。これにより、複数種の上書き前画像データが存在していても、追跡コードを用いて、特定の上書き前画像データを容易に呼び出すことができる。
【０１２９】
本発明の実施形態を説明したが、本発明の範囲はこれに限定されるものではなく、発明の主旨を逸脱しない範囲で種々の変更を加えて実施することができる。
【産業上の利用可能性】
【０１３０】
本発明は、読取上書ユニットや、画像形成装置を含む画像入出力システムに利用可能である。
【符号の説明】
【０１３１】
１      読取上書ユニット                １１    画像読取部
１２    画像出力部                      １３ａ  コロ
１３ｃ  ワンウェイクラッチ              １６    Ｉ／Ｆ部（インターフェイス部）
２      複合機（画像形成装置）          ２０    主制御部（追跡コード認識部）
２０２  画像処理部                      ２２    スキャナ部
２５    画像形成部                      ２７    記憶部
２８    通信部                          ３      画像入出力システム
６      情報処理装置（記憶装置）        Ｆ１    隠匿領域
【図１】
0005481364.tif 000002
【図２】
0005481364.tif 000003
【図３】
0005481364.tif 000004
【図５】
0005481364.tif 000005
【図６】
0005481364.tif 000006
【図７】
0005481364.tif 000007
【図８】
0005481364.tif 000008
【図９】
0005481364.tif 000009
【図１０】
0005481364.tif 000010
【図１１】
0005481364.tif 000011
【図１２】
0005481364.tif 000012
【図４】
0005481364.tif 000013